(57)【要約】【課題】樹脂毛及び獣毛を自在に使い分けできるようにし、髪の根元付近から先端にかけてのブラッシング途中であっても髪との摩擦の大きさを微調整できるようにする。【解決手段】筒状のハウジングと、前記筒状のハウジングの吐出口から温風を吐出させるファン及びヒータと、を備える。前記筒状のハウジングの軸線を境として一方側の面を、ブラシ毛が前記筒状のハウジングの軸方向に列をなして植設される植設面とし、反対側の面を、非植設面とする。前記植設面のうち、前記非植設面に最も近い最外側の列には樹脂毛のみを植設し、前記最外側の列より内側の列には樹脂毛及び獣毛を植設する。【選択図】図１
2007229316.tif 000002
【特許請求の範囲】
【請求項１】
筒状のハウジングと、
前記筒状のハウジングの吐出口から温風を吐出させるファン及びヒータと、を備え、
前記筒状のハウジングの軸線を境として一方側の面を、ブラシ毛が前記筒状のハウジングの軸方向に列をなして植設される植設面とし、反対側の面を、非植設面とし、
前記植設面のうち、前記非植設面に最も近い最外側の列には樹脂毛のみを植設し、前記最外側の列より内側の列には樹脂毛及び獣毛を植設した、ヘアドライヤー。
【請求項２】
請求項１において、
前記筒状のハウジングの吐出口は、前記筒状のハウジングの軸方向に沿って、前記植設面より前記ファンに近い箇所、前記植設面、及び前記植設面より前記ファンから遠い箇所の少なくとも３箇所に形成された、ヘアドライヤー。
【発明の詳細な説明】
【技術分野】
【０００１】
本発明は、髪に温風をあてて乾かすためのヘアドライヤーに関する。
【背景技術】
【０００２】
温風の吐出口付近にブラシ毛を植設し、髪にブラッシングをしながら温風をあてられるようにしたヘアドライヤーが広く使用されている。この種のヘアドライヤーは、濡れた髪に温風をあてて乾かしながら、髪を整え、或いはカールさせ、或いは髪の繊維を引き締めて髪のつやを向上させるといった機能を有している。
【０００３】
そのような機能をよりよく発揮させるための試みの１つとして、ブラシ毛の材質の選定がある。一般に樹脂毛を用いると髪との摩擦が小さく、獣毛を用いると摩擦が大きくなるので、すべりの良さを重視する場合には樹脂毛を、摩擦の大きさを重視する場合は獣毛を用いる。
【０００４】
例えば特開昭６２−１４４６０３号公報では、棒状のブリッスル（樹脂毛）と複数の繊維毛からなるカーリング用のブリッスル（獣毛）を配列し、前記カーリング用のブリッスルを進退させられるものが提案されている。これによれば、樹脂毛を備えたアタッチメントと獣毛を備えたアタッチメントをそれぞれ用意しなくても、獣毛を用いる状態と樹脂毛のみの状態とを切り替えて使用することができる。
【特許文献１】特開昭６２−１４４６０３号公報
【発明の開示】
【発明が解決しようとする課題】
【０００５】
しかし、上記特開昭６２−１４４６０３号公報では、カーリング用のブリッスルを進退させるために複雑な機構を必要とし、ユーザによる操作も片手では行えず不便であった。
【０００６】
本発明は、樹脂毛及び獣毛を自在に使い分けできるようにし、髪の根元付近から先端にかけてのブラッシング途中であっても髪との摩擦の大きさを微調整できるようにすることを課題とするものである。
【課題を解決するための手段】
【０００７】
（１）上記課題を解決するため、本発明のヘアドライヤーは、
筒状のハウジングと、
前記筒状のハウジングの吐出口から温風を吐出させるファン及びヒータと、を備え、
前記筒状のハウジングの軸線を境として一方側の面を、ブラシ毛が前記筒状のハウジングの軸方向に列をなして植設される植設面とし、反対側の面を、非植設面とし、
前記植設面のうち、前記非植設面に最も近い最外側の列には樹脂毛のみを植設し、前記最外側の列より内側の列には樹脂毛及び獣毛を植設したものである。
【０００８】
これにより、ブラシ毛の植設面が髪と平行になるようにブラシを髪に当てれば、樹脂毛と獣毛の両者が髪の間に入り、大きな摩擦を得ることができる。一方、筒状のハウジングの軸まわりにブラシを若干回動させてブラシ毛の植設面を傾ければ、獣毛が髪から外れて最外側の樹脂毛が髪に残り、小さな摩擦を得ることができる。この操作は単にブラシを傾けるだけでよいので、ブラッシング途中でも摩擦の微調整を容易に行うことができる。ブラッシング途中で髪との摩擦を調整することで、髪にテンションを与えたい箇所では所望のテンションを効果的に与え、強いテンションを与えたくない箇所や髪からブラシを離脱させたい箇所では摩擦を小さくしてスムーズなブラッシングをすることができる。
【０００９】
（２）上記ヘアドライヤーにおいて、
前記筒状のハウジングの吐出口は、前記筒状のハウジングの軸方向に沿って、前記植設面より前記ファンに近い箇所、前記植設面、及び前記植設面より前記ファンから遠い箇所の少なくとも３箇所に形成されることが望ましい。
【００１０】
これにより、軸方向に列をなすブラシ毛の列全体にわたって温風を行き渡らせることができ、効果的に機能を発揮することができる。特に、吐出口を植設面よりファンに近い箇所及び遠い箇所にも設けることによって、ブラシ毛を髪の間に入れて植設面の吐出口が髪で塞がれるような場合でも、ブラシ毛の列全体に温風を行き渡らせることができる。
【発明を実施するための最良の形態】
【００１１】
次に、本発明の具体例である実施形態について、図面を参照して説明する。
【００１２】
＜１．構成＞
図１は、本発明の実施形態に係るヘアドライヤーの概略斜視図である。図２は、上記ヘアドライヤーを軸線方向から見た図である。このヘアドライヤーは、筒状の本体１と、これに略同軸状に取り付けられる筒状のアタッチメント２とを備えている。これら本体１とアタッチメント２とで、本発明における筒状のハウジングが構成される。
【００１３】
本体１の内部には、温風を発生する図示しないファン、ヒータ等が収納されている。本体１の外面には、ファンの回転／停止及びヒータのＯＮ／ＯＦＦを切り替えるスイッチ（図示せず）が取り付けられている。
【００１４】
アタッチメント２は、図２に示すように、その軸線を境として一方側の曲面を、ブラシ毛が植設される植設面２１とされ、反対側の曲面を、非植設面２２とされている。植設されるブラシ毛の種類は、樹脂毛３１及び獣毛３２の２種類である。樹脂毛３１及び獣毛３２は、図１に示すようにいずれもハウジングの軸線方向に列をなして植設されている。そして、最外側の各列は樹脂毛３１のみが植設された樹脂毛列とされている。最外側の樹脂毛列より内側には、樹脂毛にそれぞれ隣接するように獣毛３２のみが植設された獣毛列が配置されている。獣毛列より内側には、樹脂毛列又は獣毛列（本実施形態では樹脂毛列のみ）が植設されている。
【００１５】
樹脂毛３１には、獣毛３２より一本一本の長さが長いものが用いられており、樹脂毛３１は獣毛３２より先端高さが高くなっている。獣毛３２には、豚又は馬などの毛が用いられており、樹脂毛３１より一本一本の太さが細く、複数本ごとに束ねて植設されている。これら樹脂毛３１及び獣毛３２は、筒状のアタッチメントの曲面に対して垂直に植設されるので、図２のようにアタッチメントの軸線方向から見ると、放射状に植設されている。
【００１６】
アタッチメント２には、温風を吐出する吐出口２３、２４、２５が形成されている。図１に示すように、吐出口２４は植設面２１の中央に形成され、アタッチメント２の軸方向に沿って長い開口となっている。吐出口２３は植設面２１より本体１に近い箇所、吐出口２５は植設面２１より本体１から遠い箇所にそれぞれ形成されている。
【００１７】
このように吐出口２３、２４、２５が、ブラシ毛の植設されたアタッチメント２の軸方向に沿って形成されているので、ブラッシング時の髪に広く温風をあてることができる。また吐出口２４は植設面２１に形成されているので、吐出口２４の開口面積が設計上大きくとれない場合や、ブラッシング時に髪で塞がれて十分な量の温風を吐出できない場合もある。しかしながら、その両端付近の吐出口２３、２５からも温風が出るので、ブラッシング時の髪に広く温風をあてることができる。
【００１８】
＜２．作用＞
図３は、上記ヘアドライヤーを使用するときのブラシ毛と毛髪の関係を示した図である。
本体１に設けられたスイッチを使用者が操作して本体１内のファンとヒータが作動すると、吐出口２３、２４、２５から温風が吹き出される。図３（Ａ）に示すように、髪との摩擦が小さい樹脂毛３１は、髪との摩擦が大きい獣毛３２より先端高さが高くなっているので、樹脂毛３１を髪Ｈの間に深く挿入することが容易であるとともに、獣毛３２も髪Ｈの間に深すぎない程度に挿入することができる。このヘアドライヤーを髪Ｈの根元付近から毛先への方向（図示矢印方向）に沿って移動させることにより、樹脂毛３１によるブラッシングと同時に、獣毛３２により髪に効果的にテンションを与えながら温風をあて、髪の繊維を引き締めて髪のつやを向上させることができる。
【００１９】
髪に与えるテンションを弱めたい場合や、毛先付近でヘアドライヤーを髪から離脱させたい場合には、ブラシの角度を図３（Ｂ）に示すように傾ければよい。植設面２１の最外側に樹脂毛３１が植設され、その内側に獣毛３２が植設されているので、このように傾ければ、髪Ｈの間への樹脂毛３１の挿入深さ（特に最外側の樹脂毛３１の挿入深さ）を大幅に減らすことなく、獣毛３２の挿入深さを簡単に減らすことができる。本実施形態では、最外側の樹脂毛３１の先端高さが獣毛３２より高くなっているので、一層容易に獣毛３２の挿入深さを減らすことができる。
獣毛３２の挿入深さを減らすことにより、髪との摩擦を小さくすることができ、髪に与えるテンションを弱めたりヘアドライヤーを髪から離脱させたりすることができる。
【００２０】
髪との摩擦が小さくなりすぎたときは、図３（Ｂ）のように植設面２１を傾けた状態から、図３（Ａ）のように植設面２１と髪Ｈが平行に近い状態に戻すことにより、再度獣毛３２を髪Ｈの間に深く挿入することができる。従って、ブラッシング途中でも髪との摩擦を容易に調整することができ、髪にテンションを与えたい箇所では所望のテンションを効果的に与え、強いテンションを与えたくない箇所や髪からヘアドライヤーを離脱させたい箇所では摩擦を小さくしてスムーズなブラッシングをすることができる。
【００２１】
以上の各実施形態は本発明の具体例を示すものであり、特許請求の範囲に記載した発明概念の範囲内で適宜に変更・追加等を行うことができる。例えば、ヘアドライヤーの各構成部材の形状、寸法、部材の数、結合方法などは上記の各実施形態に拘泥すべきものではない。
【図面の簡単な説明】
【００２２】
【図１】本発明の実施形態に係るヘアドライヤーの概略斜視図である。
【図２】上記ヘアドライヤーを軸線方向から見た図である。
【図３】上記ヘアドライヤーを使用するときのブラシ毛と毛髪の関係を示した図である。
【符号の説明】
【００２３】
１…本体、２…アタッチメント、２１…植設面、２２…非植設面、２３，２４，２５…吐出口、３１…樹脂毛、３２…獣毛、Ｈ…髪
【図１】
2007229316.tif 000003
【図２】
2007229316.tif 000004
【図３】
2007229316.tif 000005